(57)【要約】【課題】  絶縁パイプ部の長さを一目で判別することができることにより、間違った部品を組合せた製品の製造を防止することができ、作業性よく組み立てることのできる内燃機関用点火コイルを提供する。【解決手段】  高電圧を発生させる点火コイル本体４２と、この点火コイル本体４２から供給される高電圧を点火プラグ（２１）へ供給するプロテクタ部４５とからなり、このプロテクタ部４５が、点火コイル本体４２に取り付けられるラバー部４６と、点火プラグ（２１）の碍子部分（２３）に取り付けられるブーツ部４７と、このブーツ部４７とラバー部４６とを機械的に接続し、点火コイル本体４２から供給される高電圧を点火プラグ（２１）へ供給する絶縁パイプ部４８とで構成される内燃機関用点火コイル４１において、絶縁パイプ部４８の露出部分に、少なくとも長さを表示する突条５０を少なくとも１つ周回させて設ける。【選択図】    図１
2005235969.tif 000002
【特許請求の範囲】
【請求項１】
高電圧を発生させる点火コイル本体と、この点火コイル本体から供給される高電圧を点火プラグへ供給するプロテクタ部とからなり、
このプロテクタ部が、前記点火コイル本体に取り付けられ、前記点火コイル本体から供給される高電圧を絶縁シールし、かつ、エンジンヘッドのプラグホール内への液体の浸入を防ぐ弾性体からなるラバー部と、前記点火プラグの碍子部分に取り付けられ、絶縁シールする弾性体からなるブーツ部と、このブーツ部と前記ラバー部とを機械的に接続し、前記点火コイル本体から供給される高電圧を前記エンジンヘッドに取り付けられた前記点火プラグへ供給する導電体を備えた絶縁パイプ部とで構成される内燃機関用点火コイルにおいて、
前記絶縁パイプ部の露出部分に、少なくとも長さを表示する識別表示手段を少なくとも１つ周回させて設けた、
ことを特徴とする内燃機関用点火コイル。
【請求項２】
請求項１に記載の内燃機関用点火コイルにおいて、
前記識別表示手段は、突条である、
ことを特徴とする内燃機関用点火コイル。
【請求項３】
請求項２に記載の内燃機関用点火コイルにおいて、
前記突条は、前記絶縁パイプ部と異なる色で着色されている、
ことを特徴とする内燃機関用点火コイル。
【請求項４】
請求項２に記載の内燃機関用点火コイルにおいて、
前記突条は、２つ以上で、
前記２つ以上の突条は、前記絶縁パイプ部と異なり、かつ、互いに同じまたは異なる色で着色されている、
ことを特徴とする内燃機関用点火コイル。
【請求項５】
請求項１に記載の内燃機関用点火コイルにおいて、
前記識別表示手段は、溝である、
ことを特徴とする内燃機関用点火コイル。
【請求項６】
請求項５に記載の内燃機関用点火コイルにおいて、
前記溝は、前記絶縁パイプ部と異なる色で着色されている、
ことを特徴とする内燃機関用点火コイル。
【請求項７】
請求項５に記載の内燃機関用点火コイルにおいて、
前記溝は、２つ以上で、
前記２つ以上の溝は、前記絶縁パイプ部と異なり、かつ、互いに同じまたは異なる色で着色されている、
ことを特徴とする内燃機関用点火コイル。
【請求項８】
請求項５に記載の内燃機関用点火コイルにおいて、
前記溝は、前記絶縁パイプ部と異なる色の埋設体で埋設されている、
ことを特徴とする内燃機関用点火コイル。
【請求項９】
請求項５に記載の内燃機関用点火コイルにおいて、
前記溝は、２つ以上設けられて埋設体で埋設され、
前記２つ以上の埋設体は、前記絶縁パイプ部と異なり、かつ、互いに同じまたは異なる色で着色されている、
ことを特徴とする内燃機関用点火コイル。
【請求項１０】
請求項１から請求項９のいずれか１項に記載の内燃機関用点火コイルにおいて、
前記点火コイル本体を構成する絶縁ケースの露出部分に、部品番号のマーキングを設けた、
ことを特徴とする内燃機関用点火コイル。
【発明の詳細な説明】
【技術分野】
【０００１】
この発明は、自動車のエンジンなどの内燃機関の点火プラグに火花放電を発生させるための高電圧を供給する内燃機関用点火コイルに関するものである。
【背景技術】
【０００２】
図５は従来の内燃機関用点火コイルの取付状態を示す説明図である。
図５において、１１はシリンダヘッドを示し、後述する点火プラグ２１を取り付けるためのプラグホール１２と、後述する内燃機関用点火コイル４１を取り付けるため、プラグホール１２の周囲に位置する取付部１４とが設けられている。
そして、プラグホール１２の底には、点火プラグ２１の雄ねじ部２５を螺合させて点火プラグ２１を取り付けるための取付ねじ孔１３が設けられている。
また、取付部１４にも、内燃機関用点火コイル４１を取り付けるため、取付ねじ３１の雄ねじ部３２が螺合する取付ねじ穴１５が設けられている。
【０００３】
２１は点火プラグを示し、高電圧が供給される端子（図示省略）と、この端子から延びた中心電極２２と、この中心電極２２および端子を絶縁シールする絶縁碍子２３と、この絶縁碍子２３の外側に設けられた金具２４とで構成されている。
そして、金具２４には、プラグホール１２の取付ねじ孔１３に螺合する雄ねじ部２５と、この雄ねじ部２５から延び、中心電極２２と火花間隙をおいて対向する電極２６とが設けられている。
【０００４】
４１は内燃機関用点火コイルを示し、高電圧を発生させる点火コイル本体４２と、この点火コイル本体４２から供給される高電圧を点火プラグ２１へ供給するプロテクタ部４５とで構成されている。
そして、点火コイル本体４２は、一次コイル（図示省略）と、二次コイル（図示省略）と、一次コイルと二次コイルとを磁気的に結合する鉄心（図示省略）と、これらを収容する絶縁ケース４３と、この絶縁ケース４３に取り付けられ、一次コイルへ電圧を印加する一次端子（図示省略）と、絶縁ケース４３に取り付けられ、二次コイルから高電圧が供給される高圧端子（二次端子）（図示省略）と、絶縁ケース４３内に充填され、各部品を絶縁、固定する絶縁樹脂（図示省略）とで構成されている。
なお、絶縁ケース４３には、シリンダヘッド１１へ取り付けるため、取付部１４の取付ねじ穴１５に対応する取付孔（図示省略）が設けられている。
【０００５】
また、プロテクタ部４５は、点火コイル本体４２に取り付けられ、点火コイル本体４２から供給される高電圧を絶縁シールし、かつ、プラグホール１２内への液体、例えば、水の浸入を防ぐ弾性体からなるラバー部４６と、点火プラグ２１の絶縁碍子（碍子部分）２３に取り付けられ、絶縁シールする弾性体からなるブーツ部４７と、このブーツ部４７とラバー部４６とを機械的に接続し、点火コイル本体４２から供給される高電圧を点火プラグ２１へ供給する導電体（図示省略）を備えた絶縁パイプ部４８とで構成されている。
なお、絶縁パイプ部４８の露出部分には、部品番号を表示するマーキング４９が設けられている。
【０００６】
このような内燃機関用点火コイル４１は、例えば、特許文献１に開示されている。
【特許文献１】登録実用新案第３０５２２８４号公報
【０００７】
従来の内燃機関用点火コイル４１は、エンジン毎に内燃機関用点火コイル取付面から点火プラグ２１までの距離が異なる場合が多いので、点火コイル本体４２、ラバー部４６およびブーツ部４７を共通部品とし、長さの異なる絶縁パイプ部４８を組み替えて数種類のエンジンに対応している。
また、内燃機関用点火コイル取付面から点火プラグ２１までの距離が同一であっても、内燃機関用点火コイル４１への要求性能が異なる場合は、プロテクタ部４５を構成するラバー部４６、ブーツ部４７および絶縁パイプ部４８を共通部品とし、点火コイル本体４２を組み替えて数種類のエンジンに対応している。
したがって、外観上類似または同一の内燃機関用点火コイル４１が数種類必要となるので、絶縁パイプ部４８に、モールド成形時の金型刻印で内燃機関用点火コイル４１の種類毎に異なる部品番号をマーキング４９によって表示し、識別できるようにしている。
【発明の開示】
【発明が解決しようとする課題】
【０００８】
しかしながら、絶縁パイプ部４８は数種類のエンジンに対応させるために長さの差が２ｍｍ程度のものが存在するので、一目で絶縁パイプ部４８の長さを判別することが困難で、間違った部品を組合せた内燃機関用点火コイル４１を製造し、エンジンに確実に装着できなくなることがある。
また、絶縁パイプ部４８のマーキング４９の刻印を読み取りながら絶縁パイプ部４８の長さを判別して組み立てるのでは、作業性よく内燃機関用点火コイル４１を組み立てることができなくなる。
【課題を解決するための手段】
【０００９】
この発明は、以下のような発明である。
（１）高電圧を発生させる点火コイル本体と、この点火コイル本体から供給される高電圧を点火プラグへ供給するプロテクタ部とからなり、このプロテクタ部が、前記点火コイル本体に取り付けられ、前記点火コイル本体から供給される高電圧を絶縁シールし、かつ、エンジンヘッドのプラグホール内への液体の浸入を防ぐ弾性体からなるラバー部と、前記点火プラグの碍子部分に取り付けられ、絶縁シールする弾性体からなるブーツ部と、このブーツ部と前記ラバー部とを機械的に接続し、前記点火コイル本体から供給される高電圧を前記エンジンヘッドに取り付けられた前記点火プラグへ供給する導電体を備えた絶縁パイプ部とで構成される内燃機関用点火コイルにおいて、前記絶縁パイプ部の露出部分に、少なくとも長さを表示する識別表示手段を少なくとも１つ周回させて設けたことを特徴とする。
（２）（１）に記載の内燃機関用点火コイルにおいて、前記識別表示手段は、突条であることを特徴とする。
（３）（２）に記載の内燃機関用点火コイルにおいて、前記突条は、前記絶縁パイプ部と異なる色で着色されていることを特徴とする。
（４）（２）に記載の内燃機関用点火コイルにおいて、前記突条は、２つ以上で、前記２つ以上の突条は、前記絶縁パイプ部と異なり、かつ、互いに同じまたは異なる色で着色されていることを特徴とする。
（５）（１）に記載の内燃機関用点火コイルにおいて、前記識別表示手段は、溝であることを特徴とする。
（６）（５）に記載の内燃機関用点火コイルにおいて、前記溝は、前記絶縁パイプ部と異なる色で着色されていることを特徴とする。
（７）（５）に記載の内燃機関用点火コイルにおいて、前記溝は、２つ以上で、前記２つ以上の溝は、前記絶縁パイプ部と異なり、かつ、互いに同じまたは異なる色で着色されていることを特徴とする。
（８）（５）に記載の内燃機関用点火コイルにおいて、前記溝は、前記絶縁パイプ部と異なる色の埋設体で埋設されていることを特徴とする。
（９）（５）に記載の内燃機関用点火コイルにおいて、前記溝は、２つ以上設けられて埋設体で埋設され、前記２つ以上の埋設体は、前記絶縁パイプ部と異なり、かつ、互いに同じまたは異なる色で着色されていることを特徴とする。
（１０）（１）から（９）のいずれか１つに記載の内燃機関用点火コイルにおいて、前記点火コイル本体を構成する絶縁ケースの露出部分に、部品番号のマーキングを設けたことを特徴とする。
【発明の効果】
【００１０】
この発明によれば、絶縁パイプ部の露出部分に、少なくとも長さを表示する識別表示手段として、例えば、突条または溝を少なくとも１つ周回させて設けたので、識別表示手段の位置、数によって絶縁パイプ部の長さを一目で判別することができる。
したがって、間違った部品を組合せた内燃機関用点火コイルの製造を識別表示手段によって防止することができるとともに、作業性よく内燃機関用点火コイルを組み立てることができる。
そして、識別表示手段を突条とし、この突条を絶縁パイプ部と異なる色で着色したので、または、識別表示手段を２つ以上の突条とし、この２つ以上の突条を、絶縁パイプ部と異なる色で、かつ、互いに同色または異なる色で着色したので、絶縁パイプ部の長さをさらに細かく表示することができるとともに、絶縁パイプ部の長さを突条の色によって一目で判別することができる。
したがって、間違った部品を組合せた内燃機関用点火コイルの製造を識別表示手段によって防止することができるとともに、作業性よく内燃機関用点火コイルを組み立てることができる。
また、識別表示手段を溝とし、この溝を絶縁パイプ部と異なる色で着色したので、または、識別表示手段を２つ以上の溝とし、この２つ以上の溝を、絶縁パイプ部と異なる色で、かつ、互いに同色または異なる色で着色したので、絶縁パイプ部の長さをさらに細かく表示することができるとともに、絶縁パイプ部の長さを溝の色によって一目で判別することができる。
したがって、間違った部品を組合せた内燃機関用点火コイルの製造を識別表示手段によって防止することができるとともに、作業性よく内燃機関用点火コイルを組み立てることができる。
また、識別表示手段を溝とし、この溝に絶縁パイプ部と異なる色の埋設体を埋設させたので、または、識別表示手段を２つ以上の溝とし、この２つ以上の溝に、絶縁パイプ部と異なる色で、かつ、互いに同色または異なる色の埋設体を埋設させたので、絶縁パイプ部の長さをさらに細かく表示することができるとともに、絶縁パイプ部の長さを埋設体の色によって一目で判別することができる。
したがって、間違った部品を組合せた内燃機関用点火コイルの製造を識別表示手段によって防止することができるとともに、作業性よく内燃機関用点火コイルを組み立てることができる。
さらに、点火コイル本体を構成する絶縁ケースの露出部分に、部品番号のマーキングを設けたので、このマーキングによって内燃機関用点火コイルの全体の長さ、性能などを確認することができる。
【発明を実施するための最良の形態】
【００１１】
以下、この発明の実施例を図に基づいて説明する。
図１はこの発明の第１実施例の内燃機関用点火コイルの側面図、図２は図１に示した内燃機関用点火コイルに使用した絶縁パイプ部の側面図、図３はこの発明の他の（第３）実施例の内燃機関用点火コイルに使用する絶縁パイプ部の側面図であり、図５と同一または相当部分に同一符号を付して説明を省略する。
【００１２】
図１から図３において、４４は部品番号を表示するマーキングを示し、点火コイル部を構成する絶縁ケース４３の露出部分に設けられている。
５０，５１は識別表示手段としての突条を示し、プロテクタ部４５を構成する絶縁パイプ部４８の露出部分に、周回させて設けられている。
Ｌは突条５０，５１の間隔を示す。
なお、図２に示す絶縁パイプ部４８の長さと、図３に示す絶縁パイプ部４８の長さとの差は、例えば、４ｍｍとされている。
【００１３】
この第１実施例および他の（第３）実施例のように、絶縁パイプ部４８の露出部分に突条５０のみ、または、突条５０，５１を設けることにより、突条５０，５１の位置、数によって絶縁パイプ部４８の長さを一目で判別することができる。
したがって、間違った部品を組合せた内燃機関用点火コイル４１の製造を突条５０，５１によって防止することができるとともに、作業性よく内燃機関用点火コイル４１を組み立てることができる。
さらに、絶縁ケース４３の露出部分にマーキング４４を設けたので、内燃機関用点火コイル４１の全体の長さ、性能などを確認することができる。
【００１４】
図４はこの発明の第１実施例から第７実施例の内燃機関用点火コイルに使用するプロテクタ部の側面図であり、図１〜図３および図５と同一または相当部分に同一符号を付して説明を省略する。
図４において、５２は識別表示手段としての突条を示し、プロテクタ部４５を構成する絶縁パイプ部４８の露出部分に、周回させて設けられている。
【００１５】
なお、第２実施例の内燃機関用点火コイル（４１）に使用する絶縁パイプ部４８には突条５１が設けられ、第４実施例の内燃機関用点火コイル（４１）に使用する絶縁パイプ部４８には突条５２が設けられ、第５実施例の内燃機関用点火コイル（４１）に使用する絶縁パイプ部４８には突条５０，５２が設けられ、第６実施例の内燃機関用点火コイル（４１）に使用する絶縁パイプ部４８には突条５１，５２が設けられ、第７実施例の内燃機関用点火コイル（４１）に使用する絶縁パイプ部４８には突条５０，５１，５２が設けられている。
そして、各実施例に使用する絶縁パイプ部４８の長さは、第１実施例側から第７実施例側へ、例えば、２ｍｍずつ長くなっている。
【００１６】
この第１実施例〜第７実施例のように、絶縁パイプ部４８の露出部分に突条５０，５１，５２を設けることにより、突条５０，５１，５２の位置、数によって絶縁パイプ部４８の長さを一目で判別することができる。
したがって、間違った部品を組合せた内燃機関用点火コイル４１の製造を突条５０，５１，５２によって防止することができるとともに、作業性よく内燃機関用点火コイル４１を組み立てることができる。
【００１７】
上記した実施例では、識別表示手段を突条５０，５１，５２とした例を示したが、この突条５０，５１，５２を、絶縁パイプ部４８と異なる色で、互いに同色または異なる色で着色することにより、絶縁パイプ部４８の長さをさらに細かく表示することができるとともに、絶縁パイプ部４８の長さを突条５０，５１，５２の色によって一目で判別することができる。
また、識別表示手段を突条５０，５１，５２とした例を示したが、突条５０，５１，５２に代えて少なくとも１つの周回する溝を設けても、同様な効果を得ることができる。
また、突条５０，５１，５２に代えて少なくとも１つ、望ましくは２つ以上の周回する溝を設け、この溝を、絶縁パイプ部４８と異なる色で、互いに同色または異なる色で着色することにより、または、この溝を、絶縁パイプ部４８と異なるとともに、互いに同じまたは異なる色の埋設体で埋めることにより、さらに絶縁パイプ部４８の長さを細かく表示することができるとともに、絶縁パイプ部４８の長さを色によって一目で判別することができる。
さらに、識別表示手段に絶縁パイプ部４８の長さのみを表示させる例を示したが、長さの他に、性能などを特定の位置に設けた突条、溝、または、溝に埋設した埋設体によって表示させることができる。
なお、絶縁パイプ部４８に導電体を設ける場合、導電体を絶縁パイプ部４８と一体成形しても、絶縁パイプ部４８の中に後から挿入して取り付けてもよい。
【図面の簡単な説明】
【００１８】
【図１】この発明の第１実施例の内燃機関用点火コイルの側面図である。
【図２】図１に示した内燃機関用点火コイルに使用した絶縁パイプ部の側面図である。
【図３】この発明の他の（第３）実施例の内燃機関用点火コイルに使用する絶縁パイプ部の側面図である。
【図４】この発明の第１実施例から第７実施例の内燃機関用点火コイルに使用するプロテクタ部の側面図である。
【図５】従来の内燃機関用点火コイルの取付状態を示す説明図である。
【符号の説明】
【００１９】
１１  シリンダヘッド
１２  プラグホール
１３  取付ねじ孔
１４  取付部
１５  取付ねじ穴
２１  点火プラグ
２２  中心電極
２３  絶縁碍子
２４  金具
２５  雄ねじ部
２６  電極
３１  取付ねじ
３２  雄ねじ部
４１  内燃機関用点火コイル
４２  点火コイル本体
４３  絶縁ケース
４４  マーキング
４５  プロテクタ部
４６  ラバー部
４７  ブーツ部
４８  絶縁パイプ部
４９  マーキング
５０  突条（識別表示手段）
５１  突条（識別表示手段）
５２  突条（識別表示手段）
Ｌ    間隔
【図１】
2005235969.tif 000003
【図２】
2005235969.tif 000004
【図３】
2005235969.tif 000005
【図４】
2005235969.tif 000006
【図５】
2005235969.tif 000007